(57)【要約】【課題】  成型が容易な形状の部品により、容易且つ効率的に組み立てることのできる浸透印としてのスタンプを提供する。【解決手段】  ケース本体140を内壁143と外壁145との二重筒形状とし、前記内壁143内にインクタンク130を備えると共に、ケース本体140の上部を覆う上ケース110を有し、前記内壁143と前記外壁145との間に収納されて上下に摺動可能とされる筒状の壁部163を備えるスライダー160を有し、前記内壁143の下端には、前記スライダー160の下端に収納可能とされる印面体189が固定され、前記壁部163は、前記壁部163に複数の溝部175,177により形成される棒形状の変形部171を有し、前記ケース本体140は、前記内壁143と前記外壁145との間に、側面が傾斜面とされた楔状の挿入体153を備え、この挿入体153の下端が前記溝部175に挿入されているスタンプ100とする。【選択図】    図１
2015182399.tif 000002
【特許請求の範囲】
【請求項１】
ケース本体を内壁と外壁との二重筒形状とし、
前記内壁内にインクタンクを備えると共に、ケース本体の上部を覆う上ケースを有し、
前記内壁と前記外壁との間に収納されて上下に摺動可能とされる筒状の壁部を備えるスライダーを有し、
前記内壁の下端には、前記スライダーの下端に収納可能とされる印面体が固定され、
前記壁部は、前記壁部の上端に開口する複数の溝部を備えることにより、前記溝部と前記溝部との間に形成される少なくとも１本の棒形状の変形部を有し、
前記ケース本体は、前記内壁と前記外壁との間に、前記壁部に設けた前記溝部の幅よりも上方が広く、且つ、下端が前記溝部の幅よりも狭くされることにより側面が傾斜面とされた楔状の挿入体を備え、この挿入体の下端が前記溝部に挿入されていることを特徴とするスタンプ。
【請求項２】
前記壁部は、前記複数の溝部として近接した３本の溝部により２本の棒形状とされる前記変形部を有し、前記挿入体が２本の前記変形部の間の前記溝部に挿入されていることを特徴とする請求項１に記載したスタンプ。
【請求項３】
前記複数の溝部は、前記筒状とされたスライダーの壁部において、筒形状の中心軸を中心とした対称の位置に夫々複数の溝部が設けられることを特徴とする請求項１又は請求項２に記載したスタンプ。
【発明の詳細な説明】
【技術分野】
【０００１】
本発明は、インクを内蔵して捺印の繰り返しを可能とした浸透印と呼ばれるスタンプに関するものです。
【背景技術】
【０００２】
今日、スタンプの本体内にインクタンクを備え、タンク内のインクを印面に浸み出させることにより、インクを浸み込ませたスタンプ台を用いることなく、捺印を繰り返して行うことを可能とする浸透印と呼ばれるスタンプが多用されています。
【０００３】
この浸透印は、スタンプ面とされる印面が常に湿潤状態とされ、印面に触れたものにインクが転写されるため、印面と紙面等との間に間隙を生じさせる保護部材が通常は設けられているものです。
【０００４】
この保護部材は、印面の少なくとも両側又は四隅において、通常は印面から僅かに突出し、紙面等が印面に触れることを防止し、捺印を行う際には、捺印用紙に印面を合わせて用紙に載置したスタンプを押下すると、保護部材が後退してスタンプ本体を降下させ、印面を用紙に接触押圧することを可能とするものです。
【０００５】
そして、押圧力を開放したとき、保護部材がスタンプ本体から前進するようにしてスタンプ本体を押し上げ、保護部材の四隅等、少なくとも一部が印面よりも突出し、印面が不用意に他のものと接触しないようにしているものです。
【０００６】
このように、保護部材を印面よりも通常は突出させておくため、印面の両短辺に、又は、両長辺に、先端が印面よりも突出するプレート状のクリップを保護部材として設け、スプリング等の弾性体により保護部材としてのクリップを先端方向に付勢しておく浸透印が提案されています（例えば特許文献１）。
【０００７】
また、スタンプの枠体の一部を印面よりも突出させると共に、突出させた枠体の一部を弾性変形可能とし、押下時には一部を弾性変形可能とした枠体の長さが縮むようにして突出部が後退することを可能とした浸透印も提案されています（例えば特許文献２）。
【先行技術文献】
【特許文献】
【０００８】
【特許文献１】特開２００７―０３８４４９号公報
【特許文献２】特開２００８―２６５１１２号公報
【発明の概要】
【発明が解決しようとする課題】
【０００９】
前述の様に、保護部材の先端をスプリング等の弾性体により前方に付勢する浸透印とされたスタンプは、弾性体を圧縮状態としてスタンプに組み込むため、組み立て作業の効率化が困難となることがあった。
【００１０】
また、浸透印の枠体の一部を弾性変形可能とした枠部材とし、この枠部材の先端を後退可能とする浸透印は、枠体が変形可能な部材と変形をしない部材とを組み合わせて枠体を構成するため、部品点数を少なくすることが困難となる場合や、部品形状の単純化が困難となることが多く、成型や組立など製造に手数を要することとなる欠点があった。
【００１１】
本発明は、上述のような欠点を排除し、成型が容易な形状の部品により、容易且つ効率的に組み立てることのできる浸透印としてのスタンプを提供するものです。
【課題を解決するための手段】
【００１２】
本発明に係るスタンプは、ケース本体を内壁と外壁との二重筒形状とし、前記内壁内にインクタンクを備えると共に、ケース本体の上部を覆う上ケースを有し、前記内壁と前記外壁との間に収納されて上下に摺動可能とされる筒状の壁部を備えるスライダーを有し、前記内壁の下端には、前記スライダーの下端に収納可能とされる印面体が固定され、前記壁部は、前記壁部の上端に開口する複数の溝部を備えることにより、前記溝部と前記溝部との間に形成される少なくとも１本の棒形状の変形部を有し、前記ケース本体は、前記内壁と前記外壁との間に、前記壁部に設けた前記溝部の幅よりも上方が広く、且つ、下端が前記溝部の幅よりも狭くされることにより側面が傾斜面とされた楔状の挿入体を備え、この挿入体の下端が前記溝部に挿入されているものです。
【００１３】
また、前記壁部は、前記複数の溝部として近接した３本の溝部により２本の棒形状とされる前記変形部を有し、前記挿入体が２本の前記変形部の間の前記溝部に挿入されているものです。
【００１４】
そして、前記複数の溝部は、前記筒状とされたスライダーの壁部において、筒形状の中心軸を中心とした対称の位置に夫々複数の溝部が設けられることが好ましいものです。
【発明の効果】
【００１５】
本発明は、二重筒形状のケース本体に筒状のスライダーを挿入し、スライダーには溝部により形成する棒状体の変形部を形成し、ケース本体には楔状の挿入体を設けてこの挿入体の先端を溝部に挿入するものですから、スライダーが後退すると挿入体が溝部に押し込まれて変形部を変形させ、スライダーを後退させる外力からスライダーが解放されると変形部の復元力により挿入体を押し出すようにしてスライダーが前進するものです。
【００１６】
従って、スタンプを使用しないときはスライダーの先端内部に印面を収納し、使用時には印面をスライダーの先端位置に位置させることができ、スライダーに前進力を付与することができる構造でありながら、挿入体を溝部に対応させた位置に形成してスライダーをケース本体に挿入するのみで組立てを行うことができ、浸透印型のスタンプの製造を容易に行うことができるものです。
【００１７】
また、筒状のスライダーにおいて、スライダーの上端に開口する複数本の溝部により棒状体の変形部を形成するものであり、且つ、変形部の位置に対応するケース本体の内壁と外壁との間に下方を細くする楔形の挿入体を形成するものであるため、スライダーやケース本体などのスタンプの各部材の成型製造が容易な形状であって、各部材の組み立て作業の容易性と相俟って、浸透印型のスタンプの製造を容易とすることができるものです。
【００１８】
そして、３本の溝部により２本の変形部を形成して挿入体を２本の変形部の間の溝部に挿入するときは、挿入体の両側面を傾斜面とし、２本の変形部を共に変形させて変形部に復元力を掃除させるため、挿入体の両側から挿入体を押圧して挿入体を押し出す力を発生させることができ、スライダーに前進力を確実に生じさせることができるものです。
【００１９】
そして、スライダーの壁部において、筒形状の中心軸を中心とした対称の位置に溝部を設けて変形部を形成すれば、スライダーを前進させる力を、筒状の周囲の数カ所で均等に生じさせることができ、ケース本体からスライダーを確実に押し出すようにすることができるものです。
【図面の簡単な説明】
【００２０】
【図１】本発明の実施形態に係るスタンプのカバーを外した状態の斜視図。
【図２】本発明の実施形態に係るスタンプの印面が保護部材の先端と同一面なった状態を示す斜視図。
【図３】本発明の実施形態に係るスタンプの分解斜視図。
【図４】本発明の実施形態に係るスタンプのスタンプ本体部分の分離状態を示す断面図。
【図５】本発明の実施形態に係るスタンプの要部における通常状態と捺印状態を示す模式図。
【図６】本発明の実施形態に係るスタンプの要部における変形例を示す模式図。
【発明を実施するための形態】
【００２１】
本発明に係るスタンプは、図１に示すように、スタンプ本体からカバー190を外すと、保護部材とするスライダー160の枠部161に囲まれた印面体189が露出するものであって、スタンプ本体部分は、スライダー160を収納するケース本体140に上ケース110が被せられ、上ケース110を外してケース本体140に収納したインクタンク130を交換可能としているスタンプ100です。
【００２２】
そして、このスタンプ100を使用して捺印を行う時は、図２に示すように、保護部材とされたスライダー160がケース本体140の内部に後退し、枠部161の四隅に形成した突出部165の先端が印面体189の前面、即ち印面と同一平面となるものです。
【００２３】
以下、長方形とされた印面体189の長辺の一方を前方とし、他方を後方とし、短辺側を左右の側方とし、印面体189側を下方、ケース本体140側を上方として説明します。
【００２４】
このスタンプ100は、図３に示すように、上ケース110、ケース本体140、このケース本体140に収納されるインクタンク130、スライダー160、ケース本体140の先端に設ける印面フレーム180、及び、ケース本体140の下方を覆うカバー190と、印面フレーム180に固定される長方形板状の多孔体による印面体189とで構成されるものです。
【００２５】
尚、樹脂製のインクタンク130の内部には、多孔体又は綿状の貯液体139を収納しているものです。
【００２６】
カバー190は、薄肉板状の前面壁191、後面壁193、及び、左右の側面壁195と図１に示した先端壁197とを有する樹脂製であって、上部が開口され、スライダー160やケース本体140の下半部分を収納可能とする内部空間を備え、左右の側壁及び前面壁191と後面壁193の上端に上ケース110の下方先端に係合される嵌合部199を有するものです。
【００２７】
そして、印面体189は多孔体による薄板状の長方形とされ、下面に捺印すべき文字や模様が浮き彫りされて印面を形成しているものです。
【００２８】
また、印面フレーム180も樹脂製であって、印面体189の外周に合わせた長方形の枠体とされるフレーム枠181を有し、このフレーム枠181の下面に印面体189を固着して印面体189の周囲をフレーム枠181で保持するものです。
【００２９】
そして、フレーム枠181の内側には、フレーム枠181の前後方向にフレーム枠181の前方部分と後方部分とを連結する板状のブリッジとした補強部185を有してフレーム枠181を補強すると共に、この補強部185の下面に印面体189の中間部分を固定して印面体189の変形を防止するものです。
【００３０】
また、フレーム枠181の上面には、フレーム枠181よりも僅かに短い左右方向長さ、及び、僅かに前後幅の小さな枠形状の補強枠183を有し、この補強枠183の内側には、フレーム枠181の四隅及び前後の枠の中間において補強枠183よりも上方に突出する棒状の係止突起187を有し、この係止突起187により後述するケース本体140に当該印面フレーム180、ひいては印面体189を固着するものです。
【００３１】
そして、スライダー160も樹脂製であって、印面フレーム180の周囲を囲む長方形形状とされる枠部161と、枠部161の上方で枠部161よりも長さ及び幅を僅かに小さくした長方形とされる角筒状の壁部である本体壁163とを有するものです。
【００３２】
このスライダー160の下端に形成する枠部161は、図４に示すように、印面体189及び印面フレーム180を囲むようにして収納可能とし、壁部である本体壁163の下端であり枠部161の上端に形成される段部167の内側下面に、印面フレーム180のフレーム枠181の上面を当接させてフレーム枠181及び印面体189を枠部161に収容し、枠部161の下端及び枠部161の四隅に形成した突出部165を印面体189よりも下方に突出した位置に位置させるものです。
【００３３】
そして、スライダー160の本体壁163は、薄板の角筒形状とされ、上方から見て長方形とされるケース本体140に収納され、ケース本体140よりもやや低い高さの筒状とされるものです。
【００３４】
そして、長方形形状の短辺に相当する本体壁163の側方部分の中央には、上端から本体壁163の下端近くに至る長さの溝状の切込みである間隙溝175としての溝部を有し、間隙溝175の両側に間隙溝175と略同一の幅にして同一長さの脇溝177としての溝部を有するものです。
【００３５】
即ち、この間隙溝175と、間隙溝175の両側に設けた２本の脇溝177と、により、間隙溝175の両側に棒状の変形部171を形成しているものであり、上端が開口する複数本の溝部により下端が壁体である本体壁163に固定された上下方向に直線状の棒状体を形成するものです。
【００３６】
また、本体壁163の前後に位置する長辺とされる部分には、両端近くにおいて上端から適宜深さまでの長さとされる溝状の切込みである補助溝179を有し、後述するケース本体140の補助リブ155を補助溝179に挿入可能としてスライダー160のケース本体140内での上下移動を阻害しないようにしているものです。
【００３７】
そして、ケース本体140は、長方形の枠形状とされる上面部141と、上面部141の外縁から垂下する角筒形状の外壁145と、上面部141の内縁から垂下する角筒形状の内壁143と、を有する二重筒形状とするものです。
【００３８】
この内壁143は、スライダー160の本体壁163の内側に収納されて本体壁163の内側に摺接可能とされる大きさであって、内壁143の下端には図示しない係止受け部を有し、この係止受け部と印面フレーム180の係止突起187を係合することにより、図４に示したようにケース本体140の内壁143の下端を印面フレーム180の補強枠183の上端に当接してケース本体140と印面フレーム180とを一体とするものです。
【００３９】
また、外壁145は、内壁143よりも僅かに上下方向長さが短くされ、図１や図４に示すように、スライダー160の下端に設けた枠部161の上端と外壁145の下端との間に間隙を有してスライダー160の上下移動を可能としつつ、スライダー160の本体壁163の外面に摺接するようにして本体壁163を内側に収納可能とするものです。
【００４０】
そして、このケース本体140は、その短辺となる側方辺の中央上端から外壁145の高さの約３分の１程度の深さとするＶ字窪み151を有し、図５に示すように、Ｖ字窪み151に沿った両側に傾斜面を有する楔形の挿入体153を内壁143と外壁145との間の空間に形成しているものです。
【００４１】
このＶ字窪み151は、図５の（Ａ）に示すように、Ｖ字窪み151により形成した楔形の挿入体153の下端をスライダー160の間隙溝175に僅かに挿入し、内壁143の下端に固定した印面フレーム180のフレーム枠181の上端面がスライダー160の段部167下面と当接している状態で、２本の棒状とされている変形部171の上端を僅かに押し広げるものです。
【００４２】
そして、ケース本体140が降下し（スライダー160が後退し）、印面体189の下面が突出部165の下端と同一面となるとき、図５の（Ｂ）に示すように、このＶ字窪み151により形成した挿入体153が間隙溝175に深く押し込まれ、変形部171の上端を大きく押し開くように変形させるものです。
【００４３】
従って、スライダー160を後退させる外力が解除されたとき、変形部171の復元力により挿入体153は間隙溝175から押し出され、図５の（Ａ）に示した状態に戻り、スライダー160の段部167にフレーム枠181が当接され、印面体189が枠部161の内側に収納されるものです。
【００４４】
尚、挿入体153の両側には中間に段部を設け、スライダー160が突出した状態から後退するに際し、僅かに抵抗を与えて不用意にスライダー160が後退しないようにしているものです。
【００４５】
また、このケース本体140は、外壁145の長辺に沿った面と内壁143の長辺に沿った面との間には、上下方向に細棒状の補助リブ155を有して内壁143や外壁145の変形を防止し、この補助リブ155はスライダー160の本体壁163に設けた補助溝179に挿入されて内壁143と外壁145とにより本体壁163を内外両面から保持しているものです。
【００４６】
更に、このスタンプ100は、ケース本体140の内側に収納されるインクタンク130を備えるものです。
【００４７】
このインクタンク130は、図４に示すように、樹脂製にして、長方形板状の頂面部133と頂面部133の外周から垂下する周壁部135とを有して下方を開口し、内部にスポンジ質の多孔体又は繊維質の綿体等による貯液体139を収納するタンク本体131を備え、貯液体139にインクを貯留可能としているものです。
【００４８】
そして、このインクタンク130は、頂面部133の略中央において上方に突出するツマミ部137を有し、ツマミ部137を摘んでインクタンク130をケース本体140から取り出し可能としてインクタンク130の交換を可能としているものです。
【００４９】
また、上ケース110は、半長円形の側面部115と、左右の側面部115を接続して僅かに湾曲した平面とされる前面部111及び後面部113と、略半円形に湾曲した上端部117とを有し、前面部111、後面部113、及び、左右の側面部115の下端を嵌合受部127としてカバー190の嵌合部199と嵌合し、カバー190を上ケース110で保持可能としているものです。
【００５０】
そして、前面部111及び後面部113の内側には、上下方向に線状として内側に突出する前後突出部121を有し、前面部111の内側に設けた前後突出部121と後面部113の内側に設けた前後突出部121の内側端面を相互に平行とし、且つ、前面部111の内側に設けた前後突出部121と後面部113の内側に設けた前後突出部121との間隔をケース本体140の外壁145の前後幅と一致させるようにしてケース本体140を上ケース110に収納可能としているものです。
【００５１】
また、左右の側面部115の内側には、内側に突出する突起状の係合部125を有し、この係合部125をケース本体140の外壁145上端近傍に設けた係合凹部157と係合可能とし、ケース本体140が上ケース110に挿入され、ケース本体140の前後幅が上ケース110の内側前後幅に一致する箇所まで挿入されたとき、係合部125により外壁145の下端を保持してケース本体140を上ケース110に収納した状態に維持することができるようにしているものです。
【００５２】
尚、上ケース110の上端部117の下面には、板状に突出するタンク押え123を有し、上ケース110をケース本体140に係合固定したとき、インクタンク130をケース本体140の内壁143の内側に固定可能としているものです。
【００５３】
このように、このスタンプ100は、ケース本体140にインクタンク130を収納した状態で上ケース110をケース本体140に係合部125で係合させ、ケース本体140の内壁143と外壁145との間にスライダー160の本体壁163を挟むようにしてスライダー160を保持し、ケース本体140の下端に固定する印面フレーム180及び印面体189を備え、スライダー160の枠部161で印面体189を囲っており、スライダー160が本体壁163に設けた３本の溝によって２本の棒状とされる変形部171を形成し、この２本の変形部171の間にケース本体140に設けたＶ字形状とされた挿入体153の先端を位置させているものです。
【００５４】
従って、カバー190と上ケース110との嵌合を外すとカバー190をスタンプ本体部分から外すことができ、スライダー160の枠部161に囲まれた印面体189の印面を露出させることができ、枠部161の四隅に設けた突出部165を捺印用紙の捺印カ所に合わせて上ケース110を押下させると、スライダー160をケース本体140に収納するようにスライダー160を後退させて印面体189を降下させ、捺印用紙の所要個所に捺印を行うことができるものです。
【００５５】
このとき、挿入体153がスライダー160の２本の変形部171の間に食い込み、２本の変形部171の上端の間隙を押し広げるように変形部171を変形させるため、上ケース110を押下している外力を開放すると、変形部171の復元力により挿入体153が上方に押し出され、ケース本体140、ケース本体140に被せた上ケース110、ケース本体140の下端に固定された印面フレーム180及び印面体189が押し上げられ、印面体189を枠部161の内側に引き上げるようにスライダー160を下方移動させることができるものです。
【００５６】
また、捺印を繰り返し、インクタンク130のインクが消耗したとき、上ケース110をケース本体140から剥がすように上方に引き上げると、上ケース110とケース本体140との係合を外して上ケース110をケース本体140から取り外すことができ、インクタンク130を交換して上ケース110をケース本体140に被せて係合部125により上ケース110をケース本体140に固定し、当該スタンプ100の使用を継続することができるものです。
【００５７】
そして、このスタンプ100は、横断面が長方形とされて下方を開口した上ケース110と、インクタンク130を収納可能とする角筒形状の内壁143と外壁145との二重筒形状とされるケース本体140と、ケース本体140の内壁143と外壁145との間に角筒状の本体壁163が収納され、本体壁163の下端に本体壁163よりも僅かに大きい長方形の枠部161を有するスライダー160と、スライダー160を収納する角筒状のカバー190とを樹脂により成形しているものであり、ケース本体140の下方からスライダー160を挿入し、スライダー160の下方から印面体189を固着した印面フレーム180をケース本体140の下端に結合して上カバーをインクタンク130を収納したケース本体140に被せて係合させ、カバー190を下方から被せて上ケース110に係合させるのみで、組立てることができ、製造が容易なスタンプ100とすることができるものです。
【００５８】
そして、このスタンプ100は、スライダー160の本体壁163の上端から３本の直線状の溝部を一組として形成することにより、下端が本体壁163に接続固定される２本の平行な棒状の変形部171を設け、ケース本体140には外壁145と内壁143との間に頂面から先端側を順次細くして下方に突出する挿入体153を有する形状としているものですから、弾性変形を生じさせる部分を備える部材の成型も容易であり、組立ての容易性と合わせて容易に製造可能なスタンプ100とすることができるものです。
【００５９】
尚、図面に示した上記実施の形態は、上ケース110をケース本体140と係合させて着脱可能とし、インクタンク130を交換可能としているも、上ケース110とケース本体140とを固着一体化し、印面体189を介してケース本体140に収納された貯液体139にインクの補充を行うスタンプ100とすることもあるものです。
【００６０】
また、上記実施の形態は、角型スタンプ100としているも、円形スタンプであっても、印面体や印面フレームを円形とし、スライダーやケース本体を円筒形状の筒状としてケース本体を内円筒と外円筒との二重筒形状とし、この内円筒と外円筒との間にスライダーの円筒形とした壁部とする本体壁を挿入し、この本体壁に３本の溝により２本の棒状変形部を形成し、円筒状のケース本体の上端からＶ字形状の挿入体153を垂下させて棒状変形部の間に挿入すれば、同様に製造容易な円形スタンプとすることができるものです。
【００６１】
そして、上記の実施の形態は、３本の溝により２本の棒状をした変形部171を形成していますが、図６に示すように、２本の溝により１本の棒形状の変形部171を形成することもあります。
【００６２】
この場合は、挿入体153の一方の側面は上下に垂直とし、他方の側面を傾斜面として変形部171に当接させるようにして挿入体153が降下するときに変形部171に弾性変形を生じさせるように溝の幅を広げることができるようにするものです。
【００６３】
また、挿入体153はケース本体140の外壁145と内壁143との間の空間に形成されて下端を細く且つ上端を広くしたＶ字形状の楔形とすれば足りものであり、挿入体153の上方にＶ字窪み151を形成しないこともあります。
尤も、Ｖ字窪み151を形成すれば、資材の節用を図ることができるものです。
【００６４】
そして、図３等に示した実施の形態では、２本の変形部171を左右の短辺に夫々形成していますが、小型のスタンプでは、１本又は２本の変形部を一組だけ本体壁に形成すれば足りることもあります。
【００６５】
尤も、１本又は２本の変形部171を複数組、筒形状とされる本体壁の中央を中心とした対称の位置に設ければ、スライダー160の上下方向の摺動移動を円滑に行うことができるものです。
【産業上の利用可能性】
【００６６】
上述の様に、スライダー160の本体壁163に上下方向の間隙溝175と脇溝177を設けて棒状の変形部171を形成し、楔形の挿入体153をケース本体140の外壁145と内壁143との間の空間に形成して挿入体153を間隙溝175に挿入するスタンプ100は、スライダー160をケース本体140から突出させるように付勢する浸透印型のスタンプ100の製造組み立てを容易とすることができるものです。
【符号の説明】
【００６７】
１００  スタンプ
１１０  上ケース                  １１１  前面部
１１３  後面部                    １１５  側面部
１１７  上端部                    １２１  前後突出部
１２３  タンク押え                １２５  係合部
１２７  嵌合受部
１３０  インクタンク              １３１  タンク本体
１３３  頂面部                    １３５  周壁部
１３７  ツマミ部                  １３９  貯液体
１４０  ケース本体                １４１  上面部
１４３  内壁                      １４５  外壁
１５１  Ｖ字窪み                  １５３  挿入体
１５５  補助リブ                  １５７  係合凹部
１６０  スライダー                １６１  枠部
１６３  本体壁                    １６５  突出部
１６７  段部                      １７１  変形部
１７５  間隙溝                    １７７  脇溝
１７９  補助溝
１８０  印面フレーム              １８１  フレーム枠
１８３  補強枠                    １８５  補強部
１８７  係止突起                  １８９  印面体
１９０  カバー                    １９１  前面壁
１９３  後面壁                    １９５  側面壁
１９７  先端壁                    １９９  嵌合部
【図１】
2015182399.tif 000003
【図２】
2015182399.tif 000004
【図３】
2015182399.tif 000005
【図４】
2015182399.tif 000006
【図５】
2015182399.tif 000007
【図６】
2015182399.tif 000008